(57)【要約】      （修正有）【課題】効果的に広告情報を表示することができる広告配信システムを提供すること。【解決手段】広告配信システムは、広告情報を配信するサーバ２００と、サーバ２００とネットワーク３００で接続された端末１００と、を具備する。端末１００は、広告情報２２１と管理情報２２２とを受信する端末通信部１３０と、広告情報２２１、１２１を管理情報２２２、１２２と関連付けて記憶する端末記憶部１２０と、広告情報１２１を表示する表示部１４０と、管理情報１２２に含まれる情報に基づいて広告情報１２１の表示時間を計測するタイマー部１１３と、タイマー部１１３からの信号に基づいて広告情報１２１を表示するよう制御する表示制御部１１２と、を備える。【選択図】図１
2005037757.tif 000002
【特許請求の範囲】
【請求項１】
広告情報を配信するサーバと、
前記サーバとネットワークで接続された端末と、
を具備し、
前記サーバは、
前記広告情報と、前記広告情報を管理するための情報を含む管理情報とを記憶するサーバ記憶部と、
前記端末から受信する端末情報に基づき、前記広告情報を選択するサーバ制御部と、
選択された前記広告情報とその前記広告情報に関連付けられた前記管理情報を前記端末に送信するサーバ通信部と、
を備え、
前記端末は、
前記広告情報と、前記管理情報とを受信する端末通信部と、
前記広告情報を、前記管理情報と関連付けて記憶する端末記憶部と、
前記広告情報を表示する表示部と、
前記管理情報に含まれる情報に基づいて、前記広告情報の表示時間を計測するタイマー部と、
前記タイマー部からの信号に基づいて、前記広告情報を表示するよう前記表示部を制御する表示制御部と、
を備える、
広告配信システム。
【請求項２】
広告情報を送信するサーバから、前記広告情報を受信して表示する端末であって、
前記広告情報と、前記広告情報を管理するための情報を含む管理情報とを受信する通信部と、
前記広告情報を、前記管理情報と関連付けて記憶する記憶部と、
前記広告情報を表示する表示部と、
前記通信部、前記記憶部および前記表示部を制御する制御部と、
を具備し、
前記制御部は、
前記管理情報に含まれる情報に基づいて、前記広告情報の表示時間を計測するタイマー手段と、
前記タイマー手段からの信号に基づいて、前記広告情報を表示するよう前記表示部を制御する表示制御手段と、
を備える、
端末。
【請求項３】
前記管理情報は、前記広告情報を、表示する時間帯、表示する期限、表示する回数の少なくとも何れかを含む、
請求項２に記載された端末。
【請求項４】
前記管理情報は、前記広告情報を前記表示部に表示する時間帯を含み、
前記タイマー手段は、設定された時間以内の前記時間帯を有する前記管理情報を登録し、前記時間帯に前記広告情報を表示するように信号を送信する、
請求項２に記載された端末。
【請求項５】
さらに、前記記憶部は、前記表示部で表示することができるデータ形式を含む表示形式データを記憶し、
前記通信部は、前記サーバに前記表示形式データを送信し、前記表示形式データに合った前記広告情報を受信する、
請求項２〜４の何れか一項に記載された端末。
【請求項６】
さらに、前記記憶部は、使用者の嗜好を含む嗜好情報を記憶し、
前記通信部は、前記嗜好情報を前記サーバに送信し、前記嗜好にあった前記広告情報を受信する、
請求項２〜５の何れか一項に記載された端末。
【請求項７】
前記制御部は、前記使用者の入力したキーワード、前記使用者が閲覧したホームページ、前記使用者が作成した文章情報の少なくとも何れかから前記嗜好情報を作成する嗜好情報作成手段を備える、
請求項６に記載された端末。
【請求項８】
さらに、前記制御部は、前記広告情報が表示された時に使用者が行った対応動作を前記広告情報と関連付けて前記記憶部に記憶し、
前記制御部は、前記対応動作から前記嗜好情報を変更する、
請求項６または７に記載された端末。
【請求項９】
前記管理情報は、前記広告情報を表示する表示期限を含み、
前記制御部は、前記表示期限が経過した場合に、前記記憶部が記憶している前記広告情報と前記管理情報を消去する、
請求項２〜８の何れか一項に記載された端末。
【請求項１０】
前記管理情報は、前記広告情報を表示する表示回数を含み、
前記制御部は、前記広告情報を表示した表示済回数を前記記憶部に記憶し、さらに、前記表示済回数が前記表示回数以上となった場合に、前記記憶部が記憶している前記広告情報と前記管理情報を消去する、
請求項２〜９の何れか一項に記載された端末。
【請求項１１】
前記通信部は、前記管理情報を受信し、
前記制御部は、前記管理情報から受信する前記広告情報を選択し、
前記タイマー手段は、前記管理情報を参照して、選択された前記広告情報を受信するタイミングを決定し、
さらに、前記通信部は、前記制御部の選択と前記タイミングに基づき、前記ネットワークを介して前記広告情報を受信し、
前記制御部は、前記表示部が前記広告情報を表示するように制御する、
請求項２に記載された端末。
【請求項１２】
端末にネットワークで接続され、前記端末に広告情報を送信するサーバであって、
前記広告情報と、前記広告情報を管理するための情報を含む管理情報とを記憶する記憶部と、
前記端末から受信する端末情報に基づき、前記広告情報を選択する制御部と、
選択された前記広告情報とその前記広告情報に関連付けられた前記管理情報を前記端末に送信する通信部と、
を具備する、
サーバ。
【請求項１３】
前記通信部は、前記端末からその端末の使用者の嗜好を含む嗜好データを受信し、
前記制御部は、前記嗜好データに基づいて、前記広告情報を選択する、
請求項１２に記載されたサーバ。
【請求項１４】
前記管理情報は、前記広告情報を前記端末で表示する時間帯、表示する期限、および表示する回数の少なくとも何れかを含む、
請求項１２または１３に記載されたサーバ。
【請求項１５】
前記通信部は、前記端末からその端末が表示できるデータ形式を受信し、
前記制御部は、前記広告情報を前記データ形式に変換する、
請求項１２〜１４の何れか一項に記載されたサーバ。
【請求項１６】
前記制御部は、前記広告情報を前記端末に送信した回数に基づいて、前記広告情報の依頼先に請求する課金データを作成する、
請求項１２〜１５の何れか一項に記載されたサーバ。
【請求項１７】
サーバから、広告情報と、前記広告情報を管理するための管理情報を受信するステップと、
前記管理情報は、前記広告情報を表示する時間帯を含み、
前記広告情報を、前記管理情報と関連付けて記憶するステップと、
前記管理情報に含まれる前記時間帯を抽出するステップと、
前記時間帯に基づき、前記広告情報を表示するステップと、
を含む、
広告表示方法。
【請求項１８】
さらに、前記管理情報は前記広告情報を表示する回数を含み、
前記回数だけ、前記広告情報を表示するステップを含む、
請求項１７に記載された広告表示方法。
【請求項１９】
さらに、前記管理情報は前記広告情報を表示する期限を含み、
前記期限まで、前記広告情報を表示するステップを含む、
請求項１８に記載された広告表示方法。
【発明の詳細な説明】
【技術分野】
【０００１】
本発明は、広告配信システムに関し、特にネットワークで接続された、広告情報を配信するサーバと、広告情報を表示する端末を含む広告配信システムに関する。
【背景技術】
【０００２】
ネットワークに接続された端末が、ネットワークを介してサーバにより配信されているホームページにアクセスすると、そのホームページに登録されているバナー広告に例示される広告情報が表示される場合がある。その広告の表示がクリックされると、その広告が有するＵＲＬが読み出され、その広告に関係する他のホームページに接続される場合がある。
【０００３】
このような広告の表示は、そのホームページを見ている間しか使用者に表示されない。また、使用者にとって興味のない広告の表示は、表示されてもほとんど注視されない。さらに、不必要な広告が表示されるためにホームページを表示するための時間が長くなり、使用者は通信時間が無駄と感じる場合がある。
さらに、ホームページに付属されている広告表示は、使用者が選択して表示させることができない。さらに、広告が表示される時刻は、ホームページを見ている時刻であり、表示されている広告に対して必ずしも効果的な表示時刻とは限らない。
【０００４】
図１３に、従来の広告配信システムが示される。情報を配信する情報配信サーバ６００と、広告情報を表示するクライアント端末５００が、ネットワーク７００で接続されている。
情報配信サーバ６００は、制御部６１０、記憶部６２０、サーバ通信部６３０、入力部６５０を具備する。制御部６１０は、プログラムにより実現される情報選択手段６１１と情報登録手段を備える。記憶部６２０には、入力部６５０から入力され、情報登録手段６１２でホームページにリンクされる配信広告情報データ６２１が記憶される。
【０００５】
クライアント端末５００は、制御部５１０、記憶部５２０、端末通信部５３０を具備する。制御部５１０は、プログラムにより実現されるデータ処理手段５１１と表示制御手段５１２を備える。
【０００６】
情報配信サーバ６００は、サーバ通信部６３０で、クライアント端末５００からのＵＲＬなどの情報を指定する指定信号を受信する。情報選択手段６１１は、指定信号に基づき、所定のホームページのデータと配信広告情報データ６２１を記憶部６２０から選択する。情報配信サーバ６００は、サーバ通信部６３０から所定のホームページのデータと配信広告情報データ６２１をクライアント端末５００へ送信する。
【０００７】
クライアント端末５００は、端末通信部５３０でホームページのデータと配信広告情報データ６２１を受信し、一時的に記憶部５２０に記憶する。記憶されたデータは、データ処理手段５１１で処理され、表示制御手段５１２により表示部５４０に表示される。記憶部５２０に記憶された広告情報データ５２１は、再度そのホームページが表示される時に再使用される場合があるが、通常は使用されない。使用者がその広告情報データ５２１を直接選択して表示させるためには、一時的な記憶部（テンポラリーファイル）の中から選択しなければならないが、フォルダ名から所定の広告情報データ５２１を選択することは困難である。
【０００８】
通信ネットワークを介して携帯電話に広告画像を配信する広告配信システムであって、通信ネットワークに接続されたサーバと、該サーバ内に格納された一またはそれ以上の広告画像と、該一またはそれ以上の広告画像から、配信する広告画像を選択する配信画像選択手段とを備えたことを特徴とする広告配信システムについての開示がある（特許文献１）。
【０００９】
画像データを表示する表示手段と上記画像データを外部に送信する画像データ送信手段とを有する画像データ処理端末と、上記画像データを保存する画像データ保存手段と上記画像データに対して外部から該画像データを参照するための宛先アドレスを付するアドレス情報付加手段とを有する情報供給装置と、上記宛先アドレスが付加された画像データを取得する画像データ取得手段と上記画像データを表示する表示手段とを有する携帯型無線通信端末とを備え、上記画像データ処理端末から上記携帯型通信端末へ画像データを配信する画像データ配信機能を有する情報配信システムであって、上記画像データ処理端末の利用者に対して該利用者の利用者情報に基づいて選択されたコンテンツ情報を送信することを特徴とする情報配信システムについての開示がある（特許文献２）。
【００１０】
【特許文献１】特開２００３−０４６６４８号公報
【特許文献２】特開２００３−０５２０３２号公報
【発明の開示】
【発明が解決しようとする課題】
【００１１】
本発明の目的は、効果的に広告情報を表示することができる広告配信システムを提供することにある。
【課題を解決するための手段】
【００１２】
以下に、（発明を実施するための最良の形態）で使用する番号・符号を用いて、課題を解決するための手段を説明する。これらの番号・符号は、（特許請求の範囲）の記載と（発明を実施するための最良の形態）の記載との対応関係を明らかにするために付加されたものであるが、（特許請求の範囲）に記載されている発明の技術的範囲の解釈に用いてはならない。
【００１３】
本発明の広告配信システムは、広告情報を配信するサーバ（２００）と、サーバ（２００）とネットワーク（３００）で接続された端末（１００）と、を具備する。
サーバ（２００）は、広告情報（２２１）と、広告情報（２２１）を管理するための情報を含む管理情報（２２２）とを記憶するサーバ記憶部（２２０）と、端末（１００）から受信する端末情報（１２５，１２４）に基づき、広告情報（２２１）を選択するサーバ制御部（２１０）と、選択された広告情報（２２１）とその広告情報（２２１）に関連付けられた管理情報（２２２）を端末（１００）に送信するサーバ通信部（２３０）と、を備える。
端末（１００）は、広告情報（２２１）と管理情報（２２２）とを受信する端末通信部（１３）と、広告情報（２２１、１２１）を管理情報（２２２、１２２）と関連付けて記憶する端末記憶部（１２０）と、広告情報（１２１）を表示する表示部（１４０）と、管理情報（１２２）に含まれる情報に基づいて広告情報（１２１）の表示時間を計測するタイマー部（１１３）と、タイマー部（１１３）からの信号に基づいて広告情報（１２１）を表示するよう表示部（１４０）を制御する表示制御部（１１２）と、を備える。
【００１４】
本発明の端末（１００）は、広告情報（２２１）を送信するサーバ（２００）から、広告情報（２２１）を受信して表示する端末（１００）であって、広告情報（２２１）と広告情報（２２１）を管理するための情報を含む管理情報（２２２）とを受信する通信部（１３０）と、広告情報（２２１、１２１）を、管理情報（２２２、１２２）と関連付けて記憶する記憶部（１２０）と、広告情報（１２１）を表示する表示部（１４０）と、通信部（１３０）、記憶部（１２０）および表示部（１４０）を制御する制御部（１１０）と、を具備する。
制御部（１１０）は、管理情報（１２２）に含まれる情報に基づいて、広告情報（１２１）の表示時間を計測するタイマー手段（１１３）と、タイマー手段（１１３）からの信号に基づいて、広告情報（１２１）を表示するよう表示部（１４０）を制御する表示制御手段（１１２）と、を備える。
【００１５】
上記の管理情報（１２２）は、広告情報（１２１）を、表示する時間帯（４７）、表示する期限（４６）、表示する回数（４８）の少なくとも何れかを含む。
【００１６】
上記の管理情報（１２２）は、広告情報（１２１）を表示部（１４０）に表示する時間帯（４７）を含む。タイマー手段（１１３）は、設定された時間以内の時間帯（４７）を有する管理情報（１２２）を登録し、時間帯（４７）に広告情報（１２１）を表示するように信号を送信する。
【００１７】
さらに、記憶部（１２０）は、表示部（１４０）で表示することができるデータ形式を含む表示形式データ（８７）を記憶する。
通信部（１３０）は、サーバ（２００）に表示形式データ（８７）を送信し、表示形式データ（８７）に合った広告情報（１２１）を受信する。
【００１８】
本発明の端末（１００）の記憶部（１２０）は、さらに、使用者の嗜好を含む嗜好情報（１２４）を記憶する。
通信部（１３０）は、嗜好情報（１２４）をサーバ（２００）に送信し、嗜好にあった広告情報（１２１）を受信する。
【００１９】
制御部（１１０）は、使用者の入力したキーワード、使用者が閲覧したホームページ、使用者が作成した文章情報の少なくとも何れかから嗜好情報（１２４）を作成する嗜好情報作成手段（１１５）を備える。
【００２０】
本発明の端末（１００）の制御部（１１０）は、さらに、広告情報（１２１）が表示された時に使用者が行った対応動作を広告情報（１２１）と関連付けて記憶部（１２０）に記憶する。制御部（１１０）は、対応動作から嗜好情報（１２４）を変更する。
【００２１】
上記管理情報（１２２）は、広告情報（１２１）を表示する表示期限（４６）を含む。
制御部（１１０）は、表示期限（４７）が経過した場合に、記憶部（１２０）が記憶している広告情報（１２１）と管理情報（１２２）を消去する。
【００２２】
管理情報（１２２）は、広告情報（１２１）を表示する表示回数（４８）を含む。
制御部（１１０）は、広告情報（１２１）を表示した表示済回数（４９）を記憶部（１２０）に記憶し、さらに、表示済回数（４９）が表示回数（４８）以上となった場合に、記憶部（１２０）が記憶している広告情報（１２１）と管理情報（１２２）を消去する。
【００２３】
本発明の端末（１００）の通信部（１３０）は、管理情報（１２２）を受信し、制御部（１１０）は、管理情報（１２２）から受信する広告情報（１２１）を選択し、タイマー手段（１１３）は、管理情報（１２２）を参照して、選択された広告情報（１２１）を受信するタイミングを決定する。
さらに、通信部（１３０）は、制御部（１１０）の選択とタイミングに基づき、ネットワークを介して広告情報（１２１）を受信し、制御部（１１０）は、表示部（１４）が広告情報（１２１）を表示するように制御する。
【００２４】
本発明のサーバ（２００）は、端末（１００）とネットワーク（３００）で接続され、端末（１００）に広告情報（２２１）を送信するサーバ（２００）であって、広告情報（２２１）と広告情報（２２１）を管理するための情報を含む管理情報（２２２）とを記憶する記憶部（２２０）と、端末（１００）から受信する端末情報（１２４、１２５）に基づき広告情報（２２１）を選択する制御部（２１０）と、選択された広告情報（２２１）とその広告情報（２２１）に関連付けられた管理情報（２２２）を端末（１００）に送信する通信部（１３０）と、を具備する。
【００２５】
本発明のサーバ（２００）の通信部（２３０）は、端末（１００）からその端末（１００）の使用者の嗜好を含む嗜好データ（１２４）を受信する。制御部（２１０）は、嗜好データ（１２４）に基づいて、広告情報（２２１）を選択する。
【００２６】
上記管理情報（２２２）は、広告情報（２２１）を端末（１００）で表示する時間帯（６６）、表示する期限（６５）、および表示する回数（６７）の少なくとも何れかを含む。
【００２７】
本発明のサーバ（２００）の通信部（２３０）は、端末（１００）からその端末（１００）が表示できるデータ形式（８７）を受信する。制御部（２１０）は、広告情報（２２１）をデータ形式（８７）に変換する。
【００２８】
本発明のサーバ（２００）の制御部（２１０）は、広告情報（２２１）を端末（１００）に送信した回数に基づいて、広告情報（２２１）の依頼先に請求する課金データ（２２３）を作成する。
【００２９】
本発明の広告表示方法は以下のステップを含む。
サーバ（２００）から、広告情報（２２１）と、広告情報を管理するための管理情報（２２２）を受信するステップ。管理情報（２２２）は、広告情報（２２１）を表示する時間帯（６６）を含む。
広告情報（２２１、１２１）を、管理情報（２２２、１２２）と関連付けて記憶するステップ。
管理情報（１２２）に含まれる時間帯（４７）を抽出するステップ。
時間帯（４７）に基づき、広告情報（１２１）を表示するステップ。
【００３０】
さらに、管理情報（１２２）は広告情報を表示する回数（４８）を含む。
本発明の広告表示方法は、さらに以下のステップを含む。
回数（４８）だけ、広告情報（１２１）を表示するステップ。
【００３１】
さらに、管理情報（１２２）は広告情報（１２１）を表示する期限（４６）を含む。
本発明の広告表示方法は、さらに以下のステップを含む。
期限（４６）まで、広告情報（１２１）を表示するステップ。
【発明の効果】
【００３２】
本発明の広告配信システムは、効果的に広告情報を表示することができる。
【発明を実施するための最良の形態】
【００３３】
添付図面を参照して、本発明による広告配信システムの実施の形態を以下に説明する。本発明の広告配信システムでは、使用者が使用するクライアント端末１００の画面上に、広告情報が自動的に、かつ効果的に表示される。
【００３４】
図１に広告配信システムの構成の概要が示される。
広告配信システムは、クライアント端末１００と情報配信サーバ２００とを具備する。クライアント端末１００と情報配信サーバ２００は、ネットワーク３００で双方向通信が可能に接続されている。
【００３５】
クライアント端末１００は、パーソナルコンピュータ、携帯情報端末（ＰＤＡ）、携帯電話に例示される通信機能を具備する情報端末である。クライアント端末１００は、制御部１１０、記憶部１２０、端末通信部１３０、表示部１４０、入力部１５０を具備する。
【００３６】
制御部１１０は、ＣＰＵとメモリに例示される演算装置を含む。制御部１１０は、プログラムにより実現されるデータ処理手段１１１、表示制御手段１１２、タイマー手段１１３、利用状況抽出手段１１４、嗜好情報作成手段１１５を備える。データ処理手段１１１、表示制御手段１１２、タイマー手段１１３、利用状況抽出手段１１４、嗜好情報作成手段１１５は、プログラムとして情報配信サーバ２００から配信され、もしくはＣＤ−ＲＯＭで配信されクライアント端末にインストールされる場合がある。クライアント端末１００は、情報配信サーバ２００を使用する業者と契約することにより、プログラムをインストールする場合がある。
【００３７】
データ処理手段１１１は、データの処理、管理情報データ１２２の検索、記憶部１２０へのデータの書込み／読出し、その他一般的なデータ処理を行う。
表示制御手段１１２は、表示部１４０の表示の制御を行う。
タイマー手段１１３は、管理情報データ１２２に含まれる表示時間に関する情報を登録し、その表示時間になった時に、その管理情報データ１２２に関連付けられた広告情報データ１２１の表示が行われるように信号を出力する。さらに、タイマー手段１１３は、その表示時間が終了した時に、その広告情報データ１２１の表示を終了するように信号を出力する。
利用状況抽出手段１１４は、クライアント端末１００の使用状況を抽出する。利用状況抽出手段１１４は、広告情報データ１２１が表示された時に使用者が行った操作を広告情報データ１２１と関連付けて、利用状況データ１２３として記憶部１２０に記憶する場合がある。
嗜好情報作成手段１１５は、クライアント端末１００を使用する使用者の嗜好に関する嗜好情報データ１２５を作成して記憶部１２０に記憶する。嗜好情報作成手段１１５は、使用者が嗜好情報として入力部１５０から入力するキーワード、使用者が他の操作で使用した言葉、高頻度で閲覧するホームページの情報から嗜好情報データ１２５を作成する場合がある。具体的には、嗜好情報作成手段１１５は、使用者が旅行関係のホームページを頻繁に閲覧する場合は、使用者が旅行に興味があると判断する。もしくは、嗜好情報作成手段１１５は、使用者がネットワーク上で買い物をした商品から使用者の嗜好を判断する場合がある。その他、嗜好情報作成手段１１５は、使用者がホームページの検索に使用した単語や、文書作成で使用した言葉から嗜好情報データ１２５を作成する場合がある。
【００３８】
記憶部１２０は、ハードディスクに例示される記憶装置を含む。記憶部１２０は、広告情報データ１２１、管理情報データ１２２、利用状況データ１２３、嗜好情報データ１２４、端末情報データ１２５を記憶する。
広告情報データ１２１は、情報配信サーバ２００から受信した広告情報である。広告情報データ１２１は、表示部１４０に表示されるイメージデータやテキストデータに例示される。
管理情報データ１２２は、広告情報データ１２１を管理するための管理データである。広告情報データ１２１は表示されるデータのファイルとして記憶されているので、そのファイルを管理するために管理情報データ１２２が記憶される。管理情報データ１２２は、広告情報データ１２１と関連付けられて情報配信サーバ２００から受信される。管理情報データ１２２は、広告情報データ１２１を表示する時間帯、期限、表示回数の情報を含む。管理情報データ１２２の詳細は図３を参照して後述される。
利用状況データ１２３は、クライアント端末１００の利用状況、および広告情報データ１２１が表示された時の使用者の操作を記録するデータである。使用者の操作は、利用状況抽出手段１１４により抽出され、表示された広告情報データ１２１と関連付けて記憶される場合がある。利用状況データ１２３は、使用者が端末を頻繁に使用する時間帯を含む場合がある。もしくは、広告情報データ１２１が表示された時に、使用者がその広告を選択し関連付けられたページにアクセスした場合、利用状況データ１２３にその動作が記憶される。この利用状況データ１２３を参照することにより、制御部１１０は、選択された広告情報に関する使用者の嗜好性が高いと判断し、表示回数の変更や、嗜好情報データ１２４の変更をする場合がある。もしくは、広告情報データ１２１が表示された時に、すぐに表示を消去した場合、利用状況データ１２３にその動作が記憶される。同様に、この利用状況データ１２３を参照することにより、制御部１１０は、消去された広告情報に関する使用者の嗜好性が低いと判断し、表示回数の変更や、嗜好情報データ１２４の変更をする場合がある。
嗜好情報データ１２４は、使用者のクライアント端末１００への入力もしくはクライアント端末１００の使用経過により、嗜好情報作成手段１１５が作成して、記憶される。具体的には、「旅行」「車」のようにキーワードとして記憶される場合がある。
端末情報データ１２５は、クライアント端末１００が表示できるデータ形式や画像のサイズを含む。端末情報データ１２５の詳細は、図６を参照して後述される。
【００３９】
端末通信部１３０は、ネットワーク３００を介して情報の送受信を行うモデムに例示される。
表示部１４０は、ディスプレイに例示される表示装置である。
入力部１５０は、キーボード、マウス、および記録媒体からデータを入力する装置の何れかに例示されるデータ入力装置である。
【００４０】
次に、情報配信サーバ２００が説明される。
情報配信サーバ２００は、ネットワーク３００を介して情報を配信するサーバである。情報配信サーバ２００は、制御部２１０、記憶部２２０、サーバ通信部２３０、入力部２５０を具備する。
【００４１】
制御部２１０は、ＣＰＵとメモリに例示される演算装置を含む。制御部２１０は、プログラムにより実現される情報選択手段２１１、情報変換手段２１２、課金情報作成手段２１３、情報登録手段２１４を備える。
情報選択手段２１１は、クライアント端末１００へ送信する配信広告情報データ２２１を選択する。情報選択手段２１１は、クライアント端末１００から受信する利用状況データ１２３、嗜好情報データ１２４および端末情報データ１２５を使用して、送信する配信広告情報データ２２１を選択する場合がある。
情報変換手段２１２は、クライアント端末１００から受信した端末情報データ１２５を参照して、クライアント端末１００へ送付する配信広告情報データ２２１の形式を変換する。具体的には、情報選択手段２１１で選択された配信広告情報データ２２１の形式が、クライアント端末１００で処理できない、もしくは表示できない形式の場合に、処理できるもしくは表示できる形式に変換する。
課金情報作成手段２１３は、配信広告情報データ２２１を送信した回数に基づき、配信広告情報データ２２１の依頼元に課金するための課金データ２２３を作成する。
情報登録手段２１４は、入力部２５０から入力された配信広告情報データ２２１と配信管理情報データ２２２を記憶部２２０に登録する。
【００４２】
記憶部２２０は、ハードディスクに例示される記憶装置を含む。記憶部２２０は配信広告情報データ２２１、配信管理情報データ２２２、課金データ２２３を記憶する。
配信広告情報データ２２１は、クライアント端末１００に配信する広告情報である。配信広告情報データ２２１は、イメージデータとテキストデータで構成される場合がある。配信広告情報データ２２１と配信管理情報データ２２２と関連付けられる。配信広告情報データ２２１は、広告依頼元からの依頼により登録される場合がある。
配信管理情報データ２２２は、配信広告情報データ２２１と関連付けられ、配信広告情報データ２２１を管理するための情報を含む。具体的には、配信管理情報データ２２２は、配信広告情報データ２２１を表示する時間帯、表示する期限、データの形式、表示回数を含む。
課金データ２２３は、配信広告情報データ２２１がクライアント端末１００に配信された回数に基づき、広告依頼元に課金するために作成されるデータである。
【００４３】
サーバ通信部２３０は、ネットワーク３００を介して情報の送受信を行う通信装置に例示される。
入力部２５０は、キーボード、マウス、および記録媒体からデータを入力する装置の何れかに例示される入力装置である。
【００４４】
図２は、クライアント端末１００の表示部１４０で表示される広告情報データ１２１の形態を示す。なお、クライアント端末１００は、ハード上で実行されたプログラムにより実現された端末として構成される場合がある。
図２（ａ）は、パーソナルコンピュータのモニタの画面３１上で表示された広告情報３２の例を示す。広告情報３２は、イメージの表示とテキストの表示で構成される場合がある。
図２（ｂ）は、携帯電話の画面３３上で表示された広告情報３４の例を示す。広告情報３４は、イメージとテキストで構成される場合がある。
図２（ｃ）は、パーソナルコンピュータ上のＷＷＷプラウザ３５上に広告情報３６が表示された例を示す。広告情報３６は、テキストデータのみで構成される場合がある。
【００４５】
図３は、管理情報データ１２２の一形態を示す。
管理情報データ１２２は図３に示されるデータベース４０の形態で作成される場合がある。管理情報データ１２２は、番号４１、タイトル４２、紹介文４３、ＵＲＬ４４、画像４５、期限４６、時間帯４７、回数４８、表示回数４９を含む。
番号４１は、各管理情報に付けられるＩＤである。
タイトル４２は、その管理情報に関連付けられた広告情報データ１２１のタイトルである。
紹介文４３は、その管理情報に関連付けられた広告情報データ１２１の紹介文である。紹介文４３が、表示されるテキストデータとして使用される場合がある。紹介文４３は、別途、テキストデータとして広告情報データ１２１に記憶される場合がある。
ＵＲＬ４４は、その管理情報に関連付けられた広告情報データ１２１にリンクされたＵＲＬを示す。表示された広告情報データ１２１が選択されると、そのＵＲＬが指定され、表示される。
画像４５は、その管理情報に関連付けられた広告情報データ１２１の画像データのファイル名を示す。
期限４６は、その管理情報に関連付けられた広告情報データ１２１を表示する期限を示す。
時間帯４７は、その管理情報に関連付けられた広告情報データ１２１を表示する時間帯を示す。
回数４８は、その管理情報に関連付けられた広告情報データ１２１を表示する回数を示す。
表示回数４９は、その管理情報に関連付けられた広告情報データ１２１が既に表示された回数を示す。
【００４６】
図４は、別の形態の管理情報データ１２２の一形態を示す。
図４は、図２（ｃ）に示されたように、広告情報データ１２１がテキストだけの場合のデータベースの例を示す。広告情報データ１２１が画像データを含まないため図３のデータベース４０と比較して画像４５の欄がない。その他の番号５１、タイトル５２、紹介文５３、ＵＲＬ５４、期限５５、時間帯５６、回数５７、表示回数５８は、対応するデータベース４０と同様であるので説明は省略される。
【００４７】
図５は、情報配信サーバ２００の記憶部２２０に記憶される配信管理情報データ２２２の一形態を示す。
配信管理情報データ２２２の一部は、クライアント端末１００に送信されて情管理情報データ１２２となる。さらに、配信管理情報データ２２２は配信広告情報データ２２１のサイズやフォーマット（データ形式）を含む。
配信管理情報データ２２２は図５に示されるデータベース６０の形態で作成される場合がある。配信管理情報データ２２２は、番号６１、タイトル６２、紹介文６３、ＵＲＬ６４、掲載期限６５、掲載時間帯６６、回数６７、画像ファイル６８、サイズ６９、フォーマット７０を含む。
番号６１は、各配信管理情報に付けられるＩＤである。
タイトル６２は、その配信管理情報に関連付けられた配信広告情報データ２２１のタイトルである。
紹介文６３は、その配信管理情報に関連付けられた配信広告情報データ２２１の紹介文である。
ＵＲＬ６４は、その配信管理情報に関連付けられた配信広告情報データ２２１にリンクされたＵＲＬを示す。
掲載期限６５は、その配信管理情報に関連付けられた配信広告情報データ２２１を表示する期限を示す。
掲載時間帯６６は、その配信管理情報に関連付けられた配信広告情報データ２２１を表示する時間帯を示す。
回数６７は、その配信管理情報に関連付けられた配信広告情報データ２２１を表示する回数を示す。
画像ファイル６８は、その配信管理情報に関連付けられた配信広告情報データ２２１の画像データのファイル名を示す。
サイズ６９は、画像ファイル６８の大きさを示す。サイズ６９が、送付するクライアント端末１００の表示サイズと一致しない場合は、情報変換手段２１２により変更される場合がある。
フォーマット７０は、画像ファイル６８のデータ形式を示す。フォーマット７０が、送付するクライアント端末１００の処理できるデータ形式と一致しない場合は、その配信広告情報データ２２１が情報変換手段２１２により変換される場合がある。
【００４８】
図６は、端末情報データ１２５と嗜好情報データ１２４を含むデータの一形態を示す。
図６は、端末情報データ１２５と嗜好情報データ１２４を一つのデータベース８０で示している。
データベース８０は、端末名８１、テキストサイズ８２、画像サイズ８３、掲載期間制御８４、掲載時間制御８５、回数制限８６、画像形式８７、キーワード８８を含む。
端末名８１は、クライアント端末１００の種類を示す。
テキストサイズ８２は、クライアント端末１００で表示されるテキストデータのサイズを示す。
画像サイズ８３は、クライアント端末１００で表示される画像データのサイズを示す。
掲載期間制御８４は、クライアント端末１００の使用者が設定する掲載期間を含む。管理データ１２２に含まれる期限４６より、掲載期間が短い場合は掲載期間が優先されるように設定できる。
掲載時間制御８５は、クライアント端末１００の使用者が設定する掲載時間の制限を含む。管理データ１２２に含まれる時間帯４７と掲載時間の制限が異なる場合はどちらかを優先するように設定することができる。
回数制限８６は、クライアント端末１００の使用者が設定する表示回数の制限を含む。管理データ１２２に含まれる回数４８とこの回数の制限が異なる場合はどちらかを優先するように設定することができる。
画像形式８７は、クライアント端末１００が表示できる画像の形式を含む。
キーワード８７は、嗜好情報データ１２４の一つの形態である。キーワード８７は、クライアント端末１００の使用者の嗜好を表す単語を含む場合がある。
【００４９】
図７を参照して、クライアント端末１００と情報配信サーバ２００の通信の動作が説明される。
クライアント端末１００が情報配信サーバ２００にアクセスする（ステップＳａ１、以下Ｓａ１）。クライアント端末１００から情報配信サーバ２００へのアクセスは、クライアント端末１００の電源が入れられた時、タイマー手段１１３により定期的に指定された時、および使用者の指定した時に行われるように設定される場合がある。
【００５０】
クライアント端末１００は、情報配信サーバ２００に、広告情報を送付する要求を含む情報提供要求と、端末情報データ１２５および嗜好情報データ１２４を含む端末情報を送信する。
情報配信サーバ２００の情報選択手段２１１は、端末情報データ１２５および嗜好情報データ１２４を参照して、配信管理情報データ２２２もしくは配信広告情報データ２２１から、適当なデータを選択する。（Ｓａ２）
端末情報データ１２５に含まれるデータ形式と、配信広告情報データ２２１のデータ形式が一致しない場合は、情報変換手段２１２が配信広告情報データ２２１のデータ形式を変換する（Ｓａ３）。
情報配信サーバ２００は、選択した配信広告情報データ２２１と配信管理情報データ２２２をクライアント端末１００へ送信する。
クライアント端末１００は、配信広告情報データ２２１を広告情報データ１２１として記憶する（Ｓａ４）。さらに、クライアント端末１００は、配信管理情報データ２２２を管理情報データ１２２としてデータベース４０に登録する。
【００５１】
さらに、データを取得する時のクライアント端末１００の動作が、図８を参照して説明される。
クライアント端末１００は、制御部１１０で広告情報データ１２１を取得するタイミングであるか判断する（Ｓｂ１）。広告情報データ１２１を取得するタイミングは設定により決められる。具体的には、端末の電源が入れられた時、タイマー手段１１３で定期的に設定された時、使用者によりコマンドが選択された時に、広告情報データ１２１を取得するように設定される場合がある。
【００５２】
広告情報データ１２１を取得するタイミングでない場合、所定の時刻もしくは所定の時間が経過したことを判断して、ステップＳｂ１を繰り返す（Ｓｂ２）。
広告情報データ１２１を取得するタイミングである場合、クライアント端末１００は、端末通信部１３０で情報配信サーバ２００にアクセスする（Ｓｂ３）。クライアント端末１００は、端末情報データ１２５および嗜好情報データ１２４を送送信する。クライアント端末１００は、広告情報データ１２１を受信して、記憶する（Ｓｂ４）。さらに、クライアント端末１００は、管理情報データを受信して（Ｓｂ５）、記憶部１２１のデータベースに登録する（Ｓｂ６）。
クライアント端末１００は、所定の時刻／所定の時間が経過した後、再度ステップＳｂ１から動作を繰り返す。このようにして、クライアント端末１００は、広告情報データ１２１および管理情報データ１２２を、自動的かつ定期的に更新することができる。
【００５３】
次に、広告情報を表示する時のクライアント端末１００の動作が、図９を参照して説明される。
クライアント端末１００の制御部１１０は、データ処理手段１１１により特定の時間内（例えば１時間以内）に表示する時間帯を有するデータを、管理情報データ１２２から検索する（Ｓｃ１）。対象のデータが無かった場合は、所定の時刻になるまで、もしくは所定の時間が経過した後、ステップＳｃ１の検索を繰り返す（Ｓｃ２）。
対象データがあった場合は、データ処理手段１１１は、その管理情報の識別子（ＩＤもしくはタイトル）と表示する時間帯をタイマー手段１１３に登録する（Ｓｃ３）。
タイマー手段１１３は、登録された管理情報に含まれる時間帯になったかを定期的に確認する（Ｓｃ４）。タイマー手段１１３は、対象のデータが無い場合、所定の時刻になるまで、もしくは所定の時間が経過したのち、ステップＳｃ４の検索を繰り返す（Ｓｃ５）。
対象の管理情報があった場合、タイマー手段１１３はデータ処理手段１１１に、その管理情報の識別子を含む信号を送信する。
データ処理手段１１１は、その管理情報に関連付けられた広告情報データ１２１を記憶部１２０から取得して、表示データを生成する（Ｓｃ６）。表示データは表示制御手段１１２に送信され、表示制御手段１１２の制御により表示部１４０で表示される（Ｓｃ７）。
データ処理手段１１１は、表示した広告情報データ１２１の管理情報データ１２２の表示回数４９を変更する（Ｓｃ８）。
さらに、利用状況抽出手段１１４は、広告表示に対する使用者のアクションを記録する（Ｓｃ９）。広告に対する使用者のアクションは、その広告に対する使用者の嗜好の程度を表すデータとして記憶される場合がある。
広告表示に対する使用者のアクションとして、広告表示の消去が無かった場合（Ｓｃ１０）、データ処理手段は、その広告表示の情報管理データ１２１の時間帯を確認する（Ｓｃ１１）。その時間帯が経過した場合、表示制御手段１１２がその広告表示を終了する（Ｓｃ１２）。
広告表示に対する使用者のアクションとして、広告表示の消去があった場合（Ｓｃ１０）、表示動作は終了する。
【００５４】
このように、表示する時間帯に合わせて、使用者の嗜好にあった広告を表示することにより、効果的に広告表示をすることができる。具体的には、食事の時間帯の少し前に、食品やレストランに関する広告を表示したり、放映時間前の所定の時間にテレビ番組の広告をしたりすることができる。さらに、アンケートや申込を伴うような広告は、夜や午後など比較的時間が取りやすい時間に表示させることができる。さらに、使用者のアクションにより使用者の嗜好を判断することで、クライアント端末１００が使用者の嗜好を学習し、嗜好に合わない広告の表示を減少させることができる。
【００５５】
次に、広告情報を消去する時のクライアント端末１００の動作が、図１０を参照して説明される。
制御部１１０が、管理情報データ１２２の期限を検索する（Ｓｄ１）。期限が経過したデータがあった場合、ステップＳｄ５に進む。
期限が経過しデータがなかった場合、予め決められた表示する回数４８と既に表示された表示回数４９を比較し、既に表示された表示回数４９が予め決められた回数４８以上となっているデータを検索する（Ｓｄ３）。対象のデータがあれば、ステップＳｄ５に進む。対象のデータが無ければ、所定の時刻もしくは所定の時間が経過後、ステップＳｄ１から繰り返す（Ｓｄ４）。
期限が経過したデータもしくは表示回数以上表示をしたデータがあった場合、対応する広告情報データ１２１は、データ処理手段１１１により記憶部１２０から消去される。さらに、対応する管理情報データ１２２も消去される。
その後は、所定の時刻もしくは所定の時間が経過後、ステップＳｄ１から繰り返す。
【００５６】
このように、広告情報データ１２１および管理情報データ１２２が消去されることにより、古いデータや不要なデータを自動的に消去することができる。さらに、表示時期や表示回数により管理されることが可能となり、使用者にとって興味があると思われる広告情報データ１２１が表示される。
【００５７】
次に、広告情報を送信する時の情報配信サーバ２００の動作が、図１１を参照して説明される。
情報配信サーバ２００は、サーバ通信部２３０でクライアント端末から、情報情報提供要求信号と、端末情報を受信する（Ｓｔ１）。情報選択手段２１１は、端末情報に含まれる嗜好情報データ１２４に基づき、配信広告情報データ２２１を検索する（Ｓｔ２）。具体的には、嗜好情報データ１２４に含まれるキーワードを、配信管理データ２２２のタイトル６２や紹介文６３中に含まれるデータから検索し、その配信管理データ２２２に関連付けられた配信広告情報データ２２１を選択する。
なお、配信管理データ２２２が、検索用のキーワードや分野から分類される属性を有している場合がある。
情報選択手段２１１は、選択した配信広告情報データ２２１のデータ形式が、端末情報に含まれるデータ形式と一致するか確認する（Ｓｔ３）。
選択した配信広告情報データ２２１のデータ形式が端末情報に含まれるデータ形式に含まれない場合、選択した配信広告情報データ２２１は情報変換手段２１２で、クライアント端末１００で表示可能なデータ形式に変換される（Ｓｔ４）。
なお、配信広告情報データ２２１が、端末情報に含まれる表示サイズに基づいて変換される場合がある。
クライアント端末１００で表示可能な形式の配信広告情報と、それに関連付けられた配信管理情報がクライアント端末１００に送信される（Ｓｔ５）。
さらに、配信広告情報の送信に対応して、課金情報作成手段２１３が、その広告情報の配信依頼元に課するための課金情報を作成する場合がある（Ｓｔ６）。
【００５８】
このように、端末情報により、送信する配信広告情報データ２２１を変換することにより、配信広告情報データ２２１をクライアント端末１００の仕様にあわせることができる。
さらに、嗜好情報に基づいて広告情報が選択されることにより、使用者に興味がある広告を選択的に送信することができる。このため、広告の効果が向上する。
さらに、情報配信サーバ２００はプロバイダーにより運営され、クライアント端末１００に上記のような広告配信のためのプログラムがインストールされることで、通信料を広告依頼元からの課金により徴収するシステムを構築することができる。このため、クライアント端末１００からの通信料を無料もしくは安くすることができる。
【００５９】
次に、広告情報を表示する時のクライアント端末１００の別の形態の動作が、図１２を参照して説明される。
本形態では、クライアント端末１００は、情報配信サーバ２００から広告情報を受信して記憶する代わりに、指定されたＵＲＬにアクセスしてデータを取得して表示する例が示される。すなわち、クライアント端末１００は、情報配信サーバ２００から管理情報データのみを受信して記憶している。クライアント端末１００は、情報配信サーバ２００から広告情報データ１２１は受信せず、表示前に、指定されたＵＲＬにアクセスして表示用の広告情報データ１２１を取得する。
【００６０】
クライアント端末１００は、特定の時間内（例えば１時間以内）に表示する時間帯を有するデータを管理情報から検索する（Ｓｅ１）。対象のデータが無かった場合は、所定の時刻になるまで、もしくは所定の時間が経過した後、ステップＳｅ１の検索を繰り返す（Ｓｅ２）。
対象データがあった場合は、その管理情報の識別子（ＩＤもしくはタイトル）と表示する時間帯をタイマー手段１１３に登録する（Ｓｅ３）。
さらに、制御部１１０は、その管理情報データ１２２に含まれるＵＲＬの指定を抽出し、指定のＵＲＬにアクセスして広告情報データ１２１を取得し、記憶部１２０に記憶する（Ｓｅ４）。
タイマー手段１１３は、登録された管理情報を表示する時間帯になったかを定期的に確認する（Ｓｅ５）。タイマー手段１１３は、対象のデータが無い場合、所定の時刻になるまで、もしくは所定の時間が経過した後、ステップＳｃ５の検索を繰り返す（Ｓｅ６）。
表示する対象があった場合、タイマー手段１１３はデータ処理手段１１１に、その管理情報の識別子を含む信号を送信する。
データ処理手段１１１は、その管理情報に関連付けられた広告情報データ１２１を記憶部１２０から取得して、表示データを生成する。表示データは表示制御手段１１２に送信され、表示制御手段１１２の制御により表示部１４０に表示される（Ｓｅ７）。
データ処理手段１１１は、表示した広告情報データの管理情報に表示回数を加える（Ｓｅ８）。
さらに、利用状況抽出手段１１４は、広告表示に対する使用者のアクションを記録する（Ｓｅ９）。広告に対する使用者のアクションは、その広告に対する使用者の嗜好の程度を表すデータとして記憶される場合がある。
広告表示に対する使用者のアクションとして、広告表示の消去が無かった場合（Ｓｅ１０）、データ処理手段は、情報管理データ１２１の時間帯を確認する（Ｓｅ１１）。その時間帯が経過した場合、表示制御手段１１２がその広告表示を終了する（Ｓｅ１２）。
広告表示に対する使用者のアクションとして、広告表示の消去があった場合（Ｓｅ１０）、表示動作は終了する。
【００６１】
この実施の形態では、情報配信サーバ２００が直接広告情報を送信ししないように構成することができる。このため、情報配信サーバ２００の記憶するデータ量を削減することができる。
【００６２】
上記のように本発明では、ホームページを閲覧していなくても、もしくはネットワークに接続していなくても、自動的にクライアント端末１００に広告情報が表示される。さらに、広告情報が表示される時間帯や回数を管理することができる。このため、広告内容に合わせて表示する時間帯や回数が選択でき、効果的に広告情報が表示される。さらに、広告情報が表示される時間帯、回数、使用者の嗜好が考慮されて広告情報が表示されるため、広告の表示が使用者にとって不快なものとならず、より好適な情報源となる。
このため、広告表示の効果を上げることができる。
なお、使用者はこの本広告配信システムを、情報配信サーバ側の業者と契約することで自分のクライアント端末１００にインストールする。この契約は、広告を表示することにより通信料を減額もしくは無料にすることを含む場合がある。業者は、通信料の代わりに広告情報の依頼元から料金を徴収することができる。
【図面の簡単な説明】
【００６３】
【図１】図１は、広告配信システムの構成の概要を示すブロック図である。
【図２】図２は、クライアント端末の表示部で表示される広告情報の形態を示す。
【図３】図３は、管理情報データの一形態を示す。
【図４】図４は、別の形態の管理情報データの一形態を示す。
【図５】図５は、情報配信サーバの記憶部に記憶される配信管理情報データの一形態を示す。
【図６】図６は、端末情報データと嗜好情報データを含むデータの一形態を示す。
【図７】図７は、クライアント端末と情報配信サーバの通信の動作を示すフロー図である。
【図８】図８は、データを取得する時のクライアント端末の動作を示すフロー図である。
【図９】図９は、広告情報を表示する時のクライアント端末の動作を示すフロー図である。
【図１０】図１０は、広告情報を消去する時のクライアント端末の動作を示すフロー図である。
【図１１】図１１は、広告情報を送信する時の情報配信サーバの動作を示すフロー図である。
【図１２】図１２は、別の形態の広告情報を表示する時のクライアント端末の動作を示すフロー図である。
【図１３】図１３は、従来の広告配信システムの構成の概要を示すブロック図である。
【符号の説明】
【００６４】
３１  画面
３２  広告情報
３３  （携帯電話の）画面
３４  広告情報
３５  ＷＷＷプラウザ
３６  広告情報
４０  データベース
４１  番号
４２  タイトル
４３  紹介文
４４  ＵＲＬ
４５  画像
４６  期限
４７  時間帯
４８  回数
４９  表示回数
５０  データベース
５１  番号
５２  タイトル
５３  紹介文
５４  ＵＲＬ
５５  期限
５６  時間帯
５７  回数
５８  表示回数
６０  データベース
６１  番号
６２  タイトル
６３  紹介文
６４  ＵＲＬ
６５  掲載期限
６６  掲載時間帯
６７  回数
６８  画像ファイル
６９  サイズ
７０  フォーマット
８０  データベース
８１  端末名
８２  テキストサイズ
８３  画像サイズ
８４  掲載期間制御
８５  掲載時間制御
８６  回数制限
８７  画像形式
８８  キーワード
１００  クライアント端末
１１０  制御部
１１１  データ処理手段
１１２  表示制御手段
１１３  タイマー手段
１１４  利用状況抽出手段
１１５  嗜好情報作成手段
１２０  記憶部
１２１  広告情報データ
１２２  管理情報データ
１２３  利用状況データ
１２４  嗜好情報データ
１２５  端末情報データ
１３０  端末通信部
１４０  表示部
１５０  入力部
２００  情報配信サーバ
２１０  制御部
２１１  情報選択手段
２１２  情報変換手段
２１３  課金情報作成手段
２１４  情報登録手段
２２０  記憶部
２２１  配信広告情報データ
２２２  配信管理情報データ
２２３  課金データ
２３０  サーバ通信部
２５０  入力部
【図１】
2005037757.tif 000003
【図２】
2005037757.tif 000004
【図３】
2005037757.tif 000005
【図４】
2005037757.tif 000006
【図５】
2005037757.tif 000007
【図６】
2005037757.tif 000008
【図７】
2005037757.tif 000009
【図８】
2005037757.tif 000010
【図９】
2005037757.tif 000011
【図１０】
2005037757.tif 000012
【図１１】
2005037757.tif 000013
【図１２】
2005037757.tif 000014
【図１３】
2005037757.tif 000015